(57)【特許請求の範囲】
【請求項１】
ハウジングと、このハウジングの裏面のほぼ中央部から突出した点灯回路収容部と、この点灯回路収容部の両側に前記ハウジングの裏面から突出したピン電極とを備えた光源を取り付けるソケット装置であって、
前記点灯回路収容部を、環状周壁の内側に形成した収容スペースに収容するとともに、前記収容スペースの上方に電源線収容スペースを形成し、前記周壁の上部には電源線と接続される電源線接続部を設けていることを特徴とするソケット装置。
【請求項２】
前記電源線収容スペースから前配本体部の外方に向けて前記環状周壁を貫通する貫通凹部と；
前記貫通凹部と前記電源線収容スペースを介して対向するように前記環状周壁に設けられた凹部と；
を具備することを特徴とする請求項１記載のソケット装置。
【請求項３】
外部送り用の配線を接続可能な送り端子部を有する端子部を備え、
前記電源線接続部は、
前記環状周壁の前記電源線収容部の内面側に配置され、
前記送り端子部は、
前記電源線接続部と対向するように前記環状周壁の外面側に配置されるように前記端子部が前記貫通凹部に設けられることを特徴とする請求項２記載のソケット装置。
【請求項４】
前記電源線接続部は、
前記電源線が垂直に接続可能な端子を備え、
前記端子が上面側となるように前記環状周壁の前記貫通凹部に配置されることを特徴とする請求項２記載のソケット装置。
【請求項５】
前記電源線接続部の上面に引掛シーリングまたは配線ダクトと機械的及び電気的に接続可能な端子を備えたことを特徴とする請求項１記載のソケット装置。
【請求項６】
前記光源のハウジングが取り外し方向へ回転するのを抑制するはずれ防止機構を備えることを特徴とする請求項１記載のソケット装置。
【発明の詳細な説明】
【技術分野】
【０００１】
本発明は、光源を取り付けるためのソケット装置に関する。
【背景技術】
【０００２】
近年、点灯装置を内蔵した、いわゆる電球形の蛍光ランプが普及している。これは、白熟電球の変わりに用いられるもので、ねじ込み式の口金を有して、ソケットに設けられるものであった。また、点灯装置に置換し得る受電手段を傭えたもので、上記ねじ込み式の口金を有するものも知られている（例えば特許文献１参照）。
【０００３】
このような、電球形の蛍光ランプでは、ランプ形状、内蔵する点灯装置及び口金の構造上、天井からの突出高さが長くなってしまうため、薄形化が困難であった。
一方、点灯装置が内蔵されながらもランプが平面配置され、かつ、ねじ込み式でない口金構造を有するランプの構造として、例えばＧＸ５３と称されるソケットに取付け可能な口金構造が知られている（例えば非特許文献１参照）。
【０００４】
従来のＧＸ５３型のソケットに取付けられる口金構造は、平面配置された光源が設けられるハウジングと、このハウジングの裏面より突出させた点灯回路を収容する収容部と、この収容部の両側にハウジングの裏面から突出したピン電極とからなるランプ本体側の構造と、この構造のランプ本体を取り付けるためのソケットの構造を示すものである。このような構成を採用することで、光源及びソケットを共に薄形にすることができる。
【特許文献１】特開平１０−３１２７０８号公報
【非特許文献１】Sylvania Provisional Data Sheet,[online],Erlangen,April 2001.[平成17年6月24日検索],インターネット＜http://www.lamptech.co.uk/Spec%20Sheets/Sylvania%20MicroLynx.htm＞
【発明の開示】
【発明が解決しようとする課題】
【０００５】
しかしながら、上記従来の平面形光源用のソケット装置は、光源へ電力を供給する電源線の接続部は、ソケットの側方からしか接続することができないものである。
【０００６】
これでは、例えば、天井から配線された電源線がソケットの外側方に露出してしまい、外観上好ましくない。
【０００７】
また、上記平面形光源用のソケットは、電源線の接続部を有しているものの、自己へ供給されている電源を他のソケットにも送る、いわゆる送り配線用の端子を備えていないため、複数のソケットを用いるためには個々に配線をしなくてはならず、汎用性が低いものであった。
【０００８】
本発明はこのような課題を解決するためになされたもので、新規および既存のさまざまなタイプの口金やアダプタに対応し、かつ単灯式ばかりでなく多灯式にも対応できる適用範囲の広いソケット装置を提供することを目的としている。
【課題を解決するための手段】
【０００９】
上記した目的を達成するために、請求項１記載の発明のソケット装置は、ハウジングと、このハウジングの裏面のほぼ中央部から突出した点灯回路収容部と、この点灯回路収容部の両側に前記ハウジングの裏面から突出したピン電極とを備えた光源を取り付けるソケット装置であって、前記点灯回路収容部を、環状周壁の内側に形成した収容スペースに収容するとともに、前記収容スペースの上方に電源線収容スペースを形成し、前記周壁の上部には電源線と接続される電源線接続部を設けていることを特徴とする。
この請求項１記載の発明では、ソケットの環状周壁の内側に、光源の点灯回路収容部を収納する収容スペースを設けたので、ソケットの高さ方向の寸法を短くすることができる。
【００１０】
請求項２記載の発明のソケット装置は、上記請求項１記載のソケット装置において、前記電源線収容スペースから前配本体部の外方に向けて前記環状周壁を貫通する貫通凹部と；前記貫通凹部と前記電源線収容スペースを介して対向するように前記環状周壁に設けられた凹部と；を具備する。
この請求項２記載の発明では、貫通凹部があるので、環状周壁の外側部側から送り配線された電源線を電源線収納スペースに導入できる。また凹部の閉塞壁を切除することで、他のソケットヘの送り配線が可能となる。なお、貫通凹部または凹部の各底部には、ソケットと電源線とを電気的に接続するための配線手段を直接的または間接的に設けることができる。これにより、電源線と電源線収容スペース内で配線することができる。
【００１１】
請求項３記載の発明のソケット装置は、上記請求項２記載のソケット装置において、外部送り用の配線を接続可能な送り端子部を有する端子部を備え、前記電源線接続部は、前記環状周壁の前記電源線収容部の内面側に配置され、前記送り端子部は、前記電源線接続部と対向するように前記環状周壁の外面側に配置されるように前記端子部が前記貫通凹部に設けられることを特徴とする。
この請求項３記載の発明では、電源線接続部を、環状周壁の電源線収容部の内面側に配置し、送り端子部が電源線接続部と対向するように環状周壁の外面側に配置されるように端子部を貫通凹部に設けたことで、ソケット内部を通じた送り配線が可能になる。
【００１２】
請求項４記載の発明のソケット装置は、上記請求項２記載のソケット装置において、前記電源線接続部は、前記電源線が垂直に接続可能な端子を備え、前記端子が上面側となるように前記環状周壁の前記貫通凹部に配置されることを特徴とする。これにより、設置面（ 天井または壁面）からの電源線の芯線を直接接続することが可能になり、配線接続作業を容易に行うことができる。
なお、前記電源線接続部は、貫通凹部と凹部とに渡って配置されるようになっていても良い。この場合は、電源線接続部の寸法を比較的大きくすることができるので、前記電源線接続部の端子の内部構造の設計の自由度を高めることができる。
【００１３】
請求項５記載の発明のソケット装置は、上記請求項１記載のソケット装置において、前記電源線接続部の上面に引掛シーリングまたは配線ダクトと機械的及び電気的に接続可能な端子を備えたことを特徴とする。これにより、設置面（天井または壁面）に固定された引掛けシーリングまたは配線ダクトに、ソケット装置を介して光源を取り付けることができる。
なお、前記電気的接続部は、貫通凹部と凹部とに渡って配置されるようになっていてもよい。この場合は、前記電気的接続部の寸法を比較的大きくすることができるので、前記電気的接続部の内部構造の設計の自由度を高めることができる。
【００１４】
請求項６記載の発明のソケット装置は、上記請求項１記載のソケット装置において、蛍光ランプのハウジングが取り外し方向へ回転するのを抑制するはずれ防止機構を備える。これにより、光源の脱落を防止することができる。
【００１５】
はずれ防止機構としては、例えば環状のソケット本体部の内壁面に設けた突起部と蛍光ランプの収容部の外壁面に設けたＪ字状の溝と蛍光ランプをソケット本体部から離す方向へ付勢する付勢手段とで構成することで、ソケット本体部に蛍光ランプを取り付けるときに、蛍光ランプをソケット本体部へ押し込んで回すことで取り外し方向へ回転しないようにロックすることができる。
【発明の効果】
【００１６】
以上説明したように本発明によれば、新規および既存のさまざまなタイプの口金やアダプタに対応し、かつ単灯式ばかりでなく多灯式にも対応できる適用範囲の広いソケット装置を提供することができる。
【発明を実施するための最良の形態】
【００１７】
以下、本発明の実施の形態を図面を参照して詳細に説明する。
図１は本発明に係る一つの実施形態の照明装置の構成を示す斜視図、図２は図１の照明装置のソケット装置を示す平面図、図３は図２の照明装置のＡ−Ａ断面図である。
である。
【００１８】
図１ないし図３に示すように、この照明装置は、天井１にビス３により固定されたソケット装置２０と、このソケット装置２０に着脱自在に取り付けられる照明装置としての蛍光ランプ１０とから構成されている。ソケット装置２０は、ＧＸ５３と称されるソケットを有し、蛍光ランプ１０を取り付けるためものである。蛍光ランプ１０は、ＧＸ５３のソケットに取付け可能な口金構造を有する薄型のものである。
【００１９】
蛍光ランプ１０は、光源としての蛍光管１１を支持する支持部１３を収容するハウジング１５を備えている。ハウジング１５は、表面に蛍光管１１から発光された光を透光するガラスまたはアクリル樹脂製の照明カバー１６を有している。照明カバー１６はセードとも言う。
【００２０】
蛍光管１１は、平面型の光源であるＵ字状の蛍光灯を一つ以上列設したものである。支持部１３は蛍光管１１を支持すると共に、蛍光管１１の電気接点との嵌合により通電時に蛍光管１１へ電力を供給するものである。
【００２１】
ハウジング１５の裏面には、蛍光管１１の点灯回路を収容するための収容部１７が突出して設けられている。収容部１７の外壁面にはＪ字状の溝部１８が設けられている。Ｊ字状の溝部１８は、下記で説明する「はずれ防止機構」の一部として機能する。
【００２２】
また、ハウジング１５の裏面には、収容部１７の両側にピン電極１９が突出して設けられている。ピン電極１９は、頭の部分、つまり先端部が平面の円板状とされており、ソケット装置２０側の電気接点（板ばね４１）と接続される。
【００２３】
ソケット装置２０は、ほぼ中央部に空間を設けた環状のソケット本体部２１を備えている。ソケット本体部２１は、環状のソケット部２１ａと環状の本体部２１ｂとからなる。
環状のソケット部２１ａは、ハウジング１５の裏面より突出させた点灯回路を収容する収容部１７と、この収容部１７の両側にハウジング１５の裏面から突出したピン電極１９とを備えた蛍光ランプ１０を取り付けるためのものである。
環状の本体部２１ｂは、収容部１７を収容する収容部収容スペース２３（図３参照）と、天井１または壁面より突出した電源線３１を収容する電源線収容スペース２５とをほぼ中央部に設けたものである。
つまりソケット本体部２１のほぼ中央部には、蛍光ランプ１０の収容部１７を収容する収容部収容スペース２３と、天井１の面または壁面より引き出された電源線３１を収容する電源線収容スペース２５とが共用スペースとして設けられている。
なお、ソケット装置２０は、電源線収納スペース２５と収納部収容スペース２５とを区画するような隔壁が設けられていてもよい。
【００２４】
ソケット本体部２１には、設置面としての天井面１へのビス固定用の貫通孔２２が設けられている。なお、設置面には、壁面なども含まれる。
【００２５】
環状のソケット本体部２１には、ソケット本体部２１を径方向、つまり中心から外方向に向けて貫通するスペースを設けた貫通凹部２７と、外側に閉塞壁である壁３７を備えた凹部２８が設けられている。貫通凹部２７と凹部２８は、配線を結合または送るための部分である。
貫通凹部２７は、電源線収容スペース２５から本体部２１ｂの外方に向けて本体部２１ｂを貫通するように設けられている。貫通凹部２７は、電源線収容スペース２５内に収容された電源線３１と外部送り用の配線３３とを結線するための部分である。
【００２６】
貫通凹部２７は、ソケット本体部２１との一体成型で結線機構を設けてもよく、また、この部分を空間にして交換ピースを着脱することで、さまざまな形状の電源接続インターフェース（アダプタ）に対応させるようにしても良い。
【００２７】
この例では、貫通凹部２７をソケット本体部２１との一体成型でリード挿入用の穴を作成し、その穴に金属板を装着して速結端子の構造を構成、つまりＳＬ端子２７ｃとした例を示す。
ＳＬ端子２７ｃは、先端を鋭角に屈曲させた金属板を穴に配置し、配線の芯線であるリードを穴に挿入するだけで、金属板の屈曲した先端で抜けを防止しつつ接続する端子である。
【００２８】
この例のＳＬ端子２７ｃは、ソケット本体部２１の内側からと外側からの両側にそれぞれ設けられており、外側の部分を送り端子部２７ａ、内側の部分を電源線接続部２７ｂという。
送り端子部２７ａは、電源線接続部２７ｂと対向するように本体部２１ｂの外面側に配置されている。送り端子部２７ａは、多灯配線時にこのソケット装置２０からの電源を他のソケット装置２０へ送るための外部送り用の配線３３を接続するためのものである。
電源線接続部２７ｂは、本体部２１ｂの電源線収容スペース２５側、つまり本体部２１ｂの内面側に配置されている。電源線接続部２７ｂは、電源線３１のリードまたは凹部２８よりの中継線３５のリードを接続するためのものである。
【００２９】
凹部２８は、貫通凹部２７と電源線収容スペース２５を介して対向するように本体部２１ｂに設けられている。凹部２８は、壁３７の部分が切除可能、つまり折り取り可能に設けられている。多灯配線時にこの壁３７の部分を切除する（折り取る）ことで、外部からの中継線３５をソケット本体部２１内に直線的に挿通させ、複数のソケット装置２０間で電源を共用することができる。壁３７の部分は、単灯配線時には「目隠し」として機能する。
【００３０】
ソケット本体部２１の蛍光ランプ１０との対向面には、ダルマ穴３９が設けられている。ダルマ穴３９は、ソケット本体部２１の中心から回転する方向へ向けて蛍光ランプ１０のピン電極１９と対応する位置に設けられている。
【００３１】
ダルマ穴３９は、蛍光ランプ１０のピン電極１９の頭の部分を挿入し回転させることで、蛍光ランプ１０の落下防止用および電気的な接点の位置決め穴として機能する。つまりダルマ穴３９は、ハウジング１５の裏面から突出したピン電極１９を嵌合させるためのものである。
【００３２】
ダルマ穴３９の内部には、ＳＬ端子と内部配線で接続された金属製の板バネ４１が設けられている。この板バネ４１にピン電極１９の上面または側面が圧接されることで電気的な回路が繋がり、天井１から電源線３１を通じた電源が蛍光ランプ１０へ供給される。板バネ４１は、下記「はずれ防止機構」の一部の、ピン電極１９を押し返す方向へ付勢する付勢手段として機能する。
【００３３】
ソケット本体部２１には、収容部１７の外壁面に設けられたＪ字状の溝部１８に係合する突起部４３が設けられている。この突起部４３は、蛍光ランプ１０をソケット本体部２１に取り付ける際にダルマ穴３９と同様に溝部１８を移動してガイドとして機能すると共に、下記「はずれ防止機構」の一部として機能する。
【００３４】
「はずれ防止機構」は、ソケット装置に取り付けた後の蛍光ランプ１０のハウジング１５（収容部１７）が取り外し方向へ回転するのを抑制する機構であり、ピン電極１９、Ｊ字状の溝部１８、板バネ４１、突起部４３、ソケット装置および蛍光ランプそれぞれの本体部などから構成される。
全体として、「はずれ防止機構」は、例えば環状のソケット本体部２１の内壁面に設けた突起部４３と蛍光ランプ１０の収容部１７の外壁面に設けたＪ字状の溝１８と蛍光ランプ１０をソケット本体部２１から離す方向へ付勢する付勢手段としての板バネ４１で構成される。これにより、ソケット本体部２１に蛍光ランプ１０を取り付けるときに、蛍光ランプ１０をソケット本体部２１へ押し込んで回すことで、取り外し方向へ回転しないように蛍光ランプ１０をロックすることができる。
【００３５】
この「はずれ防止機構」の場合、ソケット本体部２１の内壁面に設けられた突起部４３と蛍光ランプ１０を取り付ける際に収容部１７の外壁面に設けられたＪ字状の溝部に突起部４３がガイドされてＪ字状の溝部１８の終端部（閉止部）の位置に移動したときに、ダルマ穴３９に嵌合したピン電極１９の先端の頭の部分を押し返すように付勢することで、蛍光ランプ１０のハウジング１５が取り外し方向へ回転するのを抑止するので、何らかの力の作用で蛍光ランプ１０が取り外し方向へ回わってしまいソケット本体部２１から落下する、といったことがなくなる。
【００３６】
ここで、この照明装置において、ソケット装置２０を多灯式配線に適用した場合の配線例について説明する。
上記のようにソケット装置２０は、単灯式の照明装置に適用する以外に、多数の蛍光ランプ１０を連結する配線、つまり多灯式配線、ランプ電源を中継する配線およびこれらを組み合わせた配線にも適応できる。
【００３７】
すなわち、図４に示すように、天井１から引き出された電源線３１を、ソケット装置２０の中央スペースへ収容して貫通凹部２７の壁面に設けたＳＬ端子に電源線３１のリードを挿着した上で、ソケット装置２０をビスで天井１に固定する。この場合、ソケット装置２０ａは、壁３７を折り取らない。
【００３８】
また、配線中継用のアダプタとして、ソケット装置２０から壁３７の部分を折り取ったソケット装置２０ａを用いる。この場合、ソケット装置２０ａには、凹部２８の空間部分に中継線３５を通し、ソケット装置２０ａの中に挿通し、貫通凹部２７の壁面に設けたＳＬ端子に中継線３５のリードを挿着する。その後、ソケット装置２０を天井１の所望の位置にビスで固定する。
【００３９】
最後に、ソケット装置２０とソケット装置２０ａの間隔で線の長さを合わせた送り用の配線３３のリードを各ソケット装置２０，２０ａの各壁面のＳＬ端子に挿着して多灯式配線を終了する。
【００４０】
このようにこの実施形態の照明装置によれば、環状のソケット本体部２１のほぼ中央部に設けたスペースを、蛍光ランプ１０の収容部１７を収納する収容スペースと天井１または壁面より引き出されている電源線３１を他へ送るための結線スペースに共用したことで、電源線３１の引き出し部分をソケット本体部２１の内側に内包できる。
【００４１】
また、このソケット装置２０を多灯式のものに適用する場合は、ソケット本体部２１の壁３７を折り取ることで、中継線３５や送り用の配線３３をソケット装置２０に挿通して直線的に配線でき、最短経路で配線可能になり機能的であるばかりか、壁面や天井１からの電源線３１の引き出し部分が見えず、中継線３５や送り用の配線３３も直線的になり、外観的にも美観が損なわれることがなくなる。つまり、ソケット装置２０を単灯式の蛍光ランプと多灯式の蛍光ランプに共用できる。
【００４２】
なお、本発明は上記実施形態のみに限定されるものではない。
上記実施形態では、ソケット装置２０の貫通凹部２７をソケット本体部２１との一体成型でＳＬ端子２７ｃを設けたが、これ以外に、貫通凹部２７を空間とすることで、さまざまな形式のアダプタとして適用できる。
【００４３】
以下、ソケット装置の変形例について説明する。
例えば図５に示すように、ソケット装置２０の貫通凹部２７を空間とし、その空間に、板バネ４１からの配線５１を引き出す。配線５１の先端部は、半田付け用の端子５２または電源線３１のリード３１ａを挿着するＳＬ端子とする。
半田付け用の端子５２は、配線５１の被覆をむきリードを露出させたものとし、電源線３１のリード３１ａと直接半田付けする。つまり、半田付け用の端子５２は、天井１からむき出し状態で引き出された電源線３１のリード３１ａと半田付けして結線する。
半田付け後の結線部分は、ソケット装置２０を天井１に固定する際に、ソケット本体部２１のほぼ中央部の空きスペース、つまり電源線収納スペース２５へ収容する。
【００４４】
このようにソケット装置２０の貫通凹部２７を空間とし、この空間に配線５１を引き出すことで、新築の住居などのように、天井１からむき出し状態で引き出された電源線３１を隠すようにしてソケット装置２０を固定することができる。
【００４５】
また、図６に示すように、貫通凹部２７を空間とした側面に溝５３を形成し、溝５３でガイドして貫通凹部２７に装着する電源線接続部材としての交換ピース５５を設ける。交換ピース５５には、溝５３に対応する突起部５６を設ける。このようにソケット単体部２１を２交換ピース構造とすることでさまざまなアダプタとして適用できる。
交換ピース５５には、内部にＳＬ端子５７を設ける。また、交換ピース５５の表面には、上方からの電源線３１のリード３１ａを直接ＳＬ端子５７に挿着できるような穴５９を設ける。交換ピース５５の後面からは、ＳＬ端子５９と接続された配線６０を引き出す。配線６０の引き出し部分には、ソケット本体部２１からの配線５１を接続するための空間を設ける。配線６０はソケット本体部２１の板バネ４１に接続される。
つまり、交換ピース５５は、電源線３１が垂直に接続可能なＳＬ端子５９を備えたものであって、ＳＬ端子５９が上面側となるよう貫通凹部２７と凹部２８とに渡って挿着し固定配置されている。
このような構造にすることで、電源線３１のリード３１ａを、交換ピース５５に直接挿着できるようになり、天井１へのソケット装置２０の取付け工事を迅速に行えるようになる。
【００４６】
また、図７に示すように、交換ピース５５に、上面に引掛シーリングと機械的及び電気的に接続可能な引掛け爪６１（端子）を備える。この交換ピース５５を貫通凹部２７と凹部２８に渡って挿着し固定配置する。
このようにソケット装置２０の貫通凹部２７に嵌合させる交換ピース５５に、天井１または壁面に固定された引掛けシーリングのボディに嵌合する引掛け爪６１を備えることで、既存の引掛けシーリングにＧＸ５３と称されるソケットを備えたソケット装置２０を介して蛍光ランプ１０を容易に取り付けることができる。
【００４７】
この他、ソケット本体部２１の貫通凹部２７，２８に嵌合させる交換ピース５５に、天井１または壁面に固定された電球用口金（エジソン型口金：Ｅ型口金）に嵌合するねじ込みプラグ（図示せず）を備えることで、既存のＥ型口金にＧＸ５３と称されるソケットを備えたソケット装置２０を介して蛍光ランプ１０を取り付けることができる。
【００４８】
さらにソケット本体部２１の貫通凹部２７，２８に嵌合させる交換ピース５５に、天井１または壁面に固定された配線ダクトにスライド自在に嵌合するプラグ（図示せず）を備えることで、既存の配線ダクトにＧＸ５３と称されるソケットを備えたソケット装置２０を介して蛍光ランプ１０を取り付けることができる。
つまり、引掛けシーリング接続部材のような電気的接続部材は、配線ダクト用の接続部材とすることができる。電源線接続部材や引掛けシーリング接続部材等の電気的接続部材は、例えばソケット装置２０に電源線収納スペース２５と収納部収容スペース２５とを区画するような隔壁が設けられている場合には、隔壁上に直接配置することもできる。
この他、交換ピース５５だけを新たに設定することで、ソケット装置２０は、例えば引掛け埋込みローゼット、コンセント付き引掛け埋込みローゼット、角型引掛けシーリング、フル引掛けローゼット、丸型フル引掛けシーリングなどのさまざまなタイプのものに取付アダプタとして適用することができる。
【００４９】
上記実施形態では、蛍光ランプ１０を天井１に取り付ける際のソケット装置２０の構造について、さまざまな変形例について説明したが、この他、ＧＸ５３ソケット用の蛍光ランプ１０を壁面に取り付ける場合もある。
ＧＸ５３と称されるソケットに取付け可能な蛍光ランプ１０を壁面に取り付ける場合、ソケット装置の周囲がセードで覆われ、上からしか手が入らないような照明装置もある。
【００５０】
このような照明装置で、上記ソケット装置２０のような取り付け構造では、壁面に対して直交する方向から押し付ける必要があり、力の方向的に無理が生じる。
【００５１】
そこで、例えば図８に示すような縦装着式のソケット装置７０を設ける。
ソケット装置７０は、蛍光ランプ１０の直径のほぼ１／３程度の大きさのソケット本体部７１を備える。ソケット本体部７１には、壁面へのビス固定用の貫通孔２２を設け、貫通孔２２にビス３を挿通して壁面に固定する。
【００５２】
ソケット本体部７１の上面には、断面逆Ω形の保持部７２，７３，７４を設ける。保持部６２は、蛍光ランプ１０の収容部１７を保持するものである。保持部７３，７４はそれぞれピン電極１９の細い首１９ａの部分を支持するものである。
【００５３】
これら保持部７２，７３，７４は、バネ材を利用し、上方からの押し込み力で収容部１７およびピン電極１９の細い首１９ａの部分と嵌合し保持するものとする。
このようなソケット装置７０の構造とすることで、壁面に蛍光ランプ１０を取り付ける上で、壁面からランプ着脱用のスペースが狭い場合にも適応できる。
【００５４】
なお、上記実施形態では、「はずれ防止機構」としては、突起部４３とＪ字状の溝１８と板バネ４１で構成する例について、この他、引掛け爪と引掛け穴とロック機構、ロック解除機構で構成しても良く、この場合、蛍光ランプ１０の径よりもソケット本体部２１の径の方が小さくなることが一般的であり、取り外し時の操作性を考慮すると、蛍光ランプ１０の側、例えば収容部などにロック機構またはロック解除機構の少なくとも一部の解除ボタンや解除レバーを設けることが好ましい。
【図面の簡単な説明】
【００５５】
【図１】本発明の一つの実施形態の照明装置の構成を示す斜視図である。
【図２】図１の照明装置を示す平面図である。
【図３】図２のＡ−Ａ断面図である。
【図４】ソケット装置を多灯配線に適用した場合の配線例を示す図である。
【図５】ソケット装置の貫通凹部から引き出した配線と電源線とを接続する形態とした例を示す図である。
【図６】ソケット装置の貫通凹部を、電源線の芯線を挿着接続するＳＬ端子を設けた交換ピースを装着する２ピース構造とした例を示す図である。
【図７】ソケット装置の貫通凹部を、引掛けシーリング対応の引掛け爪を設けた交換ピースを装着する２ピース構造とした例を示す図である。
【図８】蛍光ランプを壁面に取り付ける場合の縦装着式のソケット装置の構成例を示す図である。
【符号の説明】
【００５６】
１…天井、３…ビス、１０…蛍光ランプ、１１…蛍光管、１３…支持部、１５…ハウジング、１６…照明カバー、１７…収容部、１８…溝部、１９…ピン電極、１９ａ…ピン電極の首、２０…ソケット装置、２０ａ…ソケット装置、２１…ソケット本体部、２１ａ…ソケット部、２１ｂ…本体部、２２…貫通孔、２３…収容部収容スペース、２５…電源線収容スペース、２７…貫通凹部，２８…凹部、３１…電源線、３３…外部送り用の配線、３５…中継線、３７…壁、３９…ダルマ穴、４１…板バネ、４３…突起部、５１…配線、５２…半田付け用の端子、５３…溝、５５…交換ピース、５９…穴、６０…配線、６１…引掛け爪、７０…ソケット装置、７１…ソケット本体部、７２，７３，７４…保持部。
【図１】
0004729997.tif 000002
【図２】
0004729997.tif 000003
【図３】
0004729997.tif 000004
【図４】
0004729997.tif 000005
【図５】
0004729997.tif 000006
【図６】
0004729997.tif 000007
【図７】
0004729997.tif 000008
【図８】
0004729997.tif 000009